(57)【特許請求の範囲】
【請求項１】
基地局の通信エリア内にある場合には、基地局スロットを介してＴＤＭＡ無線通信を行い、前記基地局の通信エリア外にある場合には、基地局スロットとは異なる子局スロットが設定された所定の電波を介して、相手の携帯無線端末装置との直接送受信を行うことを可能にさせるスロット切り替え手段を有する携帯無線端末装置において、
前記スロット切り替え手段は、復調された受信信号の後続の処理は基地局スロットまたは子局スロットのいずれによるべきかを送信スロット指示信号または復調受信信号から判定して受信スロット指示信号を出力するスロット判定部と、
与えられる受信信号を基地局スロットに従って処理し、後続段に表示あるいは音声出力させる受信側基地局スロット部と、
与えられる受信信号を子局スロットに従って処理し、後続段に表示あるいは音声出力させる受信側子局スロット部と、
前記スロット判定部が出力する受信スロット指示信号に基づいて受信側基地局スロット部または受信側子局スロット部に受信信号を与える受信側スイッチと、
渡される送信信号の後続の処理は基地局スロットまたは子局スロットのいずれによるべきかを受信スロット指示信号または送信信号から決定して送信スロット指示信号を出力するスロット決定部と、
与えられる送信信号を基地局スロットに従って処理し、後続段から送信させる送信側基地局スロット部と、
与えられる送信信号を子局スロットに従って処理し、後続段から送信させる送信側子局スロット部と、
前記スロット決定部が出力する送信スロット指示信号に基づいて送信側基地局スロット部または送信側子局スロット部に送信信号を与える送信側スイッチと、
を有することを特徴とする携帯無線端末装置。
【請求項２】
前記携帯無線端末装置から最初に相手に呼び出しをかける場合には、前記スロット決定部は、前記スロット判定部からの受信スロット指示信号またはキー入力によりスロットを決定して送信スロット指示信号を前記スロット判定部に与えることを特徴とする請求項１に記載の携帯無線端末装置。
【請求項３】
前記基地局の通信エリア内にあって、キー入力によって前記スロット決定部が送信側子局スロットを選択した場合には、前記スロット決定部は、前記送信側子局スロット選択をロックし、直接通話を行なうことを特徴とする請求項１に記載の携帯無線端末装置。
【発明の詳細な説明】
【０００１】
【発明の属する技術分野】
この発明は、携帯無線端末装置に関し、特に、基地局の通信エリア内にある場合には、基地局スロットを介してＴＤＭＡ無線通信を行う携帯無線端末装置に関する。
【０００２】
【従来の技術】
図６は、携帯無線端末装置を子局として使用する携帯無線電話システムの従来例を示す構成図、図７は、図６におけるタイムスロット割当の様子を示す図である。この例は、例えば、特開平８−３３０２４号公報に述べられている。図６のシステムにおいては、子局５１，５２は、交換機５４に制御される基地局５３を介して通信を行う。この場合、図７に示されるように、送信および受信にそれぞれ４チャネル（タイムスロット▲１▼〜▲４▼と▲５▼〜▲８▼）分の通話チャネルが用意されており、子局５１と子局５２とにおいては、タイムスロット▲１▼〜▲４▼のうちの１つが送信期間であり、タイムスロット▲５▼〜▲８▼のうちの１つが受信期間である。また、基地局５３においては、子局５１，５２とは逆に、子局５１，５２の受信期間が送信期間のタイムスロット▲１▼〜▲４▼となっている。
【０００３】
【発明が解決しようとする課題】
上述した従来の携帯無線電話システムにおいては、子局は必ず交換機５４に制御される基地局５３を経由して通信を行わなければならず、子局が基地局５３の通信エリア外にある場合、子局間の通信が行えない。また、基地局５３の通信エリア内にあって通信が行える場合でも、基地局５３と子局５１，５２との間で送受信のための２チャンネルの通信路が必要となり、チャネルの有効利用という点でも改良が望まれる。
【０００４】
この発明は、上述の問題を解決すべくなされたものであって、子局が基地局の通信エリア内にあるときには、従来の通信を行うことができるが、子局が基地局の通信エリア外にあるときには、基地局を経由せずに子局同士が直接通信を行うことができ、その通信も１波のみを使用して実行を可能にする子局として使用できる携帯無線端末装置を提供することを目的とする。
【０００５】
【課題を解決するための手段】
前述した課題を解決するために、この発明は、基地局の通信エリア内にある場合には、基地局スロットを介してＴＤＭＡ無線通信を行う携帯無線端末装置において、前記基地局の通信エリア外にある場合には、基地局スロットとは異なる子局スロットが設定された所定の１波を介して、相手の携帯無線端末装置との直接送受信を行うことを可能にさせるスロット切り替え手段を有する。
【０００６】
このような構成によれば、携帯無線端末装置は、基地局の通信エリア内にある場合には、基地局スロットを介して従来通りの無線通信を行うことができ、基地局の通信エリア外にある場合には、スロット切り替え手段が基地局スロットとは異なる子局スロットを設定するので、この子局スロットが設定された所定の１波を介して、相手の携帯無線端末装置と直接的に送受信を行うことができる。
【０００７】
また、この発明において、前記スロット切り替え手段は、復調された受信信号の後続の処理は基地局スロットまたは子局スロットのいずれによるべきかを送信スロット指示信号または復調受信信号から判定して受信スロット指示信号を出力するスロット判定部と、与えられる受信信号を基地局スロットに従って処理し、後続段に表示あるいは音声出力させる受信側基地局スロット部と、与えられる受信信号を子局スロットに従って処理し、後続段に表示あるいは音声出力させる受信側子局スロット部と、スロット判定部が出力する受信スロット指示信号に基づいて受信側基地局スロット部または受信側子局スロット部に受信信号を与える受信側スイッチと、渡される送信信号の後続の処理は基地局スロットまたは子局スロットのいずれによるべきかを受信スロット指示信号または送信信号から決定して送信スロット指示信号を出力するスロット決定部と、与えられる送信信号を基地局スロットに従って処理し、後続段から送信させる送信側基地局スロット部と、与えられる送信信号を子局スロットに従って処理し、後続段から送信させる送信側子局スロット部と、スロット決定部が出力する送信スロット指示信号に基づいて送信側基地局スロット部または送信側子局スロット部に送信信号を与える送信側スイッチとを有する。
【０００８】
【発明の実施の形態】
以下、この発明の実施の形態について添付図面に基づいて説明する。図１は、この発明の携帯無線端末装置の実施の形態の構成を示すブロック図、図２は、図１の携帯無線端末装置を詳細に示すブロック図、図３は、図２のスロット割当部を詳細に示すブロック図、図４は、図２および図３によって示される携帯無線端末装置による相互通信に使用される信号のフォーマットの一例を示す図、図５は、図２および図３によって示される携帯無線端末装置の２台が基地局の通信エリア外にある場合のスロット割り当て動作を説明するためのタイムチャートである。
図１の携帯無線端末装置１００は、基地局の通信エリア内にあるときには、従来と同様な時分割多重ディジタル方式（ＴＤＭＡ）の無線通信を行う機能と、基地局の通信エリア外にあるときには、所定の１波（基地局スロットが設定される電波に影響を与えない周波数の異なる電波）を用いて携帯無線端末装置相互の直接的な無線通信を可能にさせる機能とを有している。
【０００９】
図２の携帯無線端末装置１００において、受信信号は、アンテナ１１と、共通部１２と、受信部１３とを経由して、復調部１４に与えられ、復調される。スロット割当部２０は、復調信号に基づいて、基地局スロットまたは子局スロットに従った出力を制御部３０に引き渡す。制御部３０は、キー入力部４４からの指示やメモリ４５の制御プログラムに従って制御を行うが、与えられた復調出力については、必要な表示を表示部４１に表示し、音声を音声出力部４２から出力するとともに、音声入力部４３からの入力をスロット割当部２０に引き渡す。スロット割当部２０は、引き渡された入力が先に復調出力に基づいて決められた基地局スロットまたは子局スロットに従って変調を受けるように変調部に引き渡す。変調部１６で変調を受けた信号は、送信部１５と、共通部１２を介してアンテナ１１から相手の携帯無線端末装置に送信される。
【００１０】
上述の図２で示されるスロット割当部について図３を参照してさらに説明する。
まず、携帯無線端末装置１００が相手からの呼び出しを受ける場合、復調部１４から受信信号の復調信号を受け取ったスロット割当部２０において、スロット判定部２１は、復調信号から決定すべき基地局スロットまたは子局スロットを判定し、あるいは、送信スロット指示信号ＳＳがいずれを指示しているかの判定に基づき、受信スロット指示信号ＲＳを出力し、スイッチ２２を駆動して、基地局スロット部２３または子局スロット部２４に復調信号を引き渡すとともに、判定結果による受信スロット指示信号ＲＳを送信信号に使用させるべく、スロット決定部２６にも伝達する。上記の受信信号による判定の場合、スロット判定部２１は、基地局から定期的（数ｍｓ毎）に送られてくる制御データが届かなくなったとき、すなわち、通信エリア外となったときには、所定の１波を用いる子局スロットを選択し、さらに、他の携帯無線端末装置から直接信号を受信した場合にも子局スロットを選択する。この子局スロットの選択は、表示部４１に表示するのが望ましい。いうまでもなく、携帯無線端末装置１００が基地局の通信エリア内にあるときには、スロット判定部２１は、基地局スロットを選択する。
【００１１】
スイッチ２２から判定に基づく指示を受けた基地局スロット部２３または子局スロット部２４は、タイミング発生部２５からのタイミング信号を用いて、受け取った復調信号をそれぞれのフォーマットに従って出力し、制御部３０に引き渡す。送信信号は、制御部３０からスロット決定部２６に渡されるが、スロット決定部２６は、基地局スロットまたは子局スロットのいずれを使用すべきかについてスロット判定部２１から既に受信スロット指示信号ＲＳを受けているときには、その指示に基づきスイッチ２７を駆動して、基地局スロット部２８または子局スロット部２９に送信信号を引き渡し、変調部１６に出力させる。
【００１２】
逆に、携帯無線端末装置１００から最初に相手に呼び出しをかける場合、スロット決定部２６は、スロット判定部２１からの受信スロット指示信号ＲＳによるか、あるいは、ユーザのキー入力によりスロットを決定するとともに、送信スロット指示信号ＳＳをスロット判定部２１に与える。この場合、基地局の通信エリア内にあって、キー入力によってスロット決定部２６が子局スロットを選択した場合には、スロット決定部２６は、基地局スロットに切り替わらないように子局スロット選択をロックする。このことは、基地局が混雑しているときに基地局を経由しない直接通話を可能にする。したがって、ユーザが通信相手が近くにいることを知っている場合には、始めから前記キー入力による方法で子局スロットを選択することにより、電話料金を節約することができる。この例においては、選択とロックとの状況は、キー入力によって解除されるまでは、表示部４１に表示される。
【００１３】
次に、図２および図３に示す携帯無線端末装置を基地局の通信エリア外において使用する場合の動作について図４および図５を参照して説明する。ここでは、所定の１波（例えば、携帯機１，２が存在するエリア内で他に悪影響を与えない周波数Ｆ１の電波）を用いて携帯機１から呼び出しを行い、携帯機２がそれに応答する場合について説明する。使用する信号のフォーマットは、図４に示すように形成することにする。すなわち、周波数Ｆ１のチャネルに関して、スロット１からスロット４までの４つのスロットに時分割多重する。各スロットは、各スロットを表す記号ＷＳ１，ＷＳ２，ＷＳ３，ＷＳ４と、記号ＷＳ１，ＷＳ２，ＷＳ３，ＷＳ４のそれぞれに続くスロット情報とから構成されている。携帯機１には、スロット１を送信用に、スロット２を受信用に割り当て、携帯機２には、スロット１を受信用に、スロット２を送信用に割り当てる。
【００１４】
上述のように構成したことにより、携帯機１は、周波数Ｆ１のチャネルのスロット１を用いて発呼を行い、携帯機２は、これを同じ周波数Ｆ１のチャネルの同じスロット１を介して着呼を行う。この着呼に対する携帯機２の応答は、周波数Ｆ１のチャネルのスロット２を用いて行われ、携帯機１は、この応答をスロット２を介して受け取る。携帯機１，２間の後続の通信は、後続のスロット１およびスロット２を用いて、同様に繰り返され、全部の通信が同じ周波数Ｆ１を用いて、基地局を経由せずに直接実行される。なお、上述の例において、発呼時に自分の受信スロット番号を相手に通達することで受信スロットの指定をなくすこともできる。また、スロット３，４については、他の携帯機の使用者の組が使用することも可能である。また、スロットを割り振ることで、３以上の複数無線機の間でグループ直接通信も可能となる。さらに、単信プレストーク方式を併用すれば、トランシーバ的な複数無線機による直接通信（単信）を実現することも可能である。
【００１５】
【発明の効果】
この発明の携帯無線端末装置は、以上において詳述したように構成されているので、携帯無線端末装置が基地局の通信エリア内にあるときには、基地局を経由して従来の通信を行うことができるが、携帯無線端末装置が基地局の通信エリア外にあるときには、基地局を経由せずに、携帯無線端末装置同士が直接通信を行うことができ、その通信も１波のみを使用して実行でき、かつ、それによって複数の通話路を設定できるので、チャネル利用の点でも有効性を向上することができる。
【図面の簡単な説明】
【図１】この発明の携帯無線端末装置の実施の形態の構成を示すブロック図である。
【図２】図１の携帯無線端末装置を詳細に示すブロック図である。
【図３】図２のスロット割当部を詳細に示すブロック図である。
【図４】図２および図３によって示される携帯無線端末装置による相互通信に使用される信号のフォーマットの一例を示す図である。
【図５】図２の携帯無線端末装置の２台が基地局の通信エリア外にある場合のスロット割り当て動作を説明するためのタイムチャートである。
【図６】携帯無線端末装置を子局として使用する携帯無線電話システムの従来例を示す構成図である。
【図７】図６におけるタイムスロット割り当ての様子を示す図である。
【符号の説明】
１１    アンテナ
１２    共通部
１３    受信部
１４    復調部
１５    送信部
１６    変調部
２０    スロット割当部
２１    スロット判定部
２２，２７    スイッチ
２３，２８    基地局スロット部
２４，２９    子局スロット部
２５    タイミング発生部
２６    スロット決定部
３０    制御部
４１    表示部
４２    音声出力部
４３    音声入力部
４４    キー入力部
４５    メモリ
１００    携帯無線端末装置
【図１】
0004498538.tif 000002
【図２】
0004498538.tif 000003
【図３】
0004498538.tif 000004
【図４】
0004498538.tif 000005
【図５】
0004498538.tif 000006
【図６】
0004498538.tif 000007
【図７】
0004498538.tif 000008